(57)【特許請求の範囲】
【請求項１】
クレーン旋回体が支持されるベースフレームと、上方から見てベースフレームを中心に放射状に配置された複数のアウトリガビームと、略水平に延び且つ各アウトリガビームの基端上部をベースフレームの上側部に締結し得る上部ピンと、略水平に延び且つ各アウトリガビームの基端下部をベースフレームの下側部に締結し得る下部ピンと、各アウトリガビームごとに設けられ且つ一端部に上部ピンあるいは下部ピンが挿通され得るリンクと、略水平に延び且つ各リンクの他端部をアウトリガビームの基端上部あるいは基端下部に締結し得るリンク用ピンと、各アウトリガビームの先端部に装着され得られ且つアウトリガビームの基端部が上部ピン及び下部ピンでベースフレームに締結された際に略垂直に昇降し得るペデスタルを有する高さ調整機構と、各アウトリガビームの先端部と高さ調整機構との間に介在し得られ且つアウトリガビームの基端部が上部ピン、下部ピン、リンク及びリンク用ピンでベースフレームに締結された際にペデスタルが略垂直に昇降し得るように高さ調整機構を支持するブラケットとを備え、アウトリガビームの基端上部を上部ピンによりベースフレームの上側部に締結し、アウトリガビームの基端下部を下部ピンによりベースフレームの下側部に締結した際に、アウトリガビームが略水平状態となるように、ベースフレームにおける上部ピンと下部ピンの締結位置の間隔を設定し、また、アウトリガビームの基端上部を上部ピンによりベースフレームの上側部に締結し、当該ベースフレームの下側部にリンクの一端部を下部ピンにより締結し且つアウトリガビームの基端下部にリンクの他端部をリンク用ピンにより締結した際に、アウトリガビームの先端部が上方を向いた状態になるように、しかも、アウトリガビームの基端下部を下部ピンによりベースフレームの下側部に締結し、当該ベースフレームの上側部にリンクの一端部を上部ピンにより締結し且つアウトリガビームの基端上部にリンクの他端部をリンク用ピンにより締結した際に、アウトリガビームの先端部が下方を向いた状態になるように、リンクにおける２本のピンの締結位置の間隔を設定したことを特徴するジブクレーンのアウトリガ装置。
【請求項２】
アウトリガビームの先端部に直接あるいはブラケットを介して装着され得るケースと、該ケース内に螺合され且つ下端部及び上端部がケース外方に突出するねじ軸と、該ねじ軸の下端部に取り付けたペデスタルと、前記のねじ軸の上端部に取り付けたハンドルとを有する高さ調整機構を備えた請求項１に記載のジブクレーンのアウトリガ装置。
【発明の詳細な説明】
【０００１】
【発明の属する技術分野】
本発明は、山岳部での鉄塔建設作業などに用いられるジブクレーンのアウトリガ装置に関するものである。
【０００２】
【従来の技術】
図６は従来のジブクレーンのアウトリガ装置の一例を示すものであり、このジブクレーンのアウトリガ装置は、クレーン旋回体１が支持されるベースフレーム２と、上方から見てベースフレーム２を中心に放射状に配置され且つそれぞれ基端部がボルト３によってベースフレーム２の側部に締結された複数のアウトリガビーム４とを備えている。
【０００３】
クレーン旋回体１には、ジブ５の基端部が枢支され、また、ジブ起伏用ウインチ６及び巻上用ウインチ７が設置されている。
【０００４】
ジブクレーンを傾斜地８で使用する場合には、傾斜地８に支柱９を立設したうえ、該支柱９の上端部と傾斜地８の支柱９の立設位置よりも上側部分との間に作業台１０を略水平に架設し、該作業台１０の上面にベースフレーム２及びアウトリガビーム４を設置するようにしている。
【０００５】
【発明が解決しようとする課題】
しかしながら、ジブクレーンの設置に先立って、支柱９を傾斜地８に立設したり、支柱９と傾斜地８との間に作業台１０を設置することは容易でない。
【０００６】
本発明は上述した実情に鑑みてなしたもので、傾斜地への設置を容易に行なうことが可能なジブクレーンのアウトリガ装置を提供することを目的とするものである。
【０００７】
【課題を解決するための手段】
上記目的を達成するため、本発明の請求項１に記載したジブクレーンのアウトリガ装置では、クレーン旋回体が支持されるベースフレームと、上方から見てベースフレームを中心に放射状に配置された複数のアウトリガビームと、略水平に延び且つ各アウトリガビームの基端上部をベースフレームの上側部に締結し得る上部ピンと、略水平に延び且つ各アウトリガビームの基端下部をベースフレームの下側部に締結し得る下部ピンと、各アウトリガビームごとに設けられ且つ一端部に上部ピンあるいは下部ピンが挿通され得るリンクと、略水平に延び且つ各リンクの他端部をアウトリガビームの基端上部あるいは基端下部に締結し得るリンク用ピンと、各アウトリガビームの先端部に装着され得られ且つアウトリガビームの基端部が上部ピン及び下部ピンでベースフレームに締結された際に略垂直に昇降し得るペデスタルを有する高さ調整機構と、各アウトリガビームの先端部と高さ調整機構との間に介在し得られ且つアウトリガビームの基端部が上部ピン、下部ピン、リンク及びリンク用ピンでベースフレームに締結された際にペデスタルが略垂直に昇降し得るように高さ調整機構を支持するブラケットとを備え、アウトリガビームの基端上部を上部ピンによりベースフレームの上側部に締結し、アウトリガビームの基端下部を下部ピンによりベースフレームの下側部に締結した際に、アウトリガビームが略水平状態となるように、ベースフレームにおける上部ピンと下部ピンの締結位置の間隔を設定し、また、アウトリガビームの基端上部を上部ピンによりベースフレームの上側部に締結し、当該ベースフレームの下側部にリンクの一端部を下部ピンにより締結し且つアウトリガビームの基端下部にリンクの他端部をリンク用ピンにより締結した際に、アウトリガビームの先端部が上方を向いた状態になるように、しかも、アウトリガビームの基端下部を下部ピンによりベースフレームの下側部に締結し、当該ベースフレームの上側部にリンクの一端部を上部ピンにより締結し且つアウトリガビームの基端上部にリンクの他端部をリンク用ピンにより締結した際に、アウトリガビームの先端部が下方を向いた状態になるように、リンクにおける２本のピンの締結位置の間隔を設定している。
【０００８】
本発明の請求項２に記載したジブクレーンのアウトリガ装置では、本発明の請求項１に記載したジブクレーンのアウトリガ装置の構成に加えて、アウトリガビームの先端部に直接あるいはブラケットを介して装着され得るケースと、該ケース内に螺合され且つ下端部及び上端部がケース外方に突出するねじ軸と、該ねじ軸の下端部に取り付けたペデスタルと、前記のねじ軸の上端部に取り付けたハンドルとを有する高さ調整機構を備えている。
【０００９】
本発明の請求項１あるいは請求項２に記載したジブクレーンのアウトリガ装置のいずれにおいても、アウトリガビームの基端上部を、上部ピンでベースフレームの上側部に締結し、アウトリガビームの基端下部を、下部ピンでベースフレームの下側部に締結して、アウトリガビームを通常状態に設定する。
【００１０】
また、アウトリガビームの基端上部を、上部ピンでベースフレームの上側部に締結し、アウトリガビームの基端下部を、リンク用ピン、リンク及び下部ピンでベースフレームの下側部に締結して、アウトリガビームを先端部が上方を向いた状態に設定する。
【００１１】
更に、アウトリガビームの基端下部を、下部ピンでベースフレームの下側部に締結し、アウトリガビームの基端上部をリンク用ピン、リンク及び上部ピンでベースフレームの上側部に締結して、アウトリガビームを先端部が下方を向いた状態に設定する。
【００１２】
本発明の請求項２に記載したジブクレーンのアウトリガ装置においては、ケースの上側のハンドルを回転させることにより、ねじ軸とともにペデスタルを昇降させ、該ペデスタルの上下位置を調整する。
【００１３】
【発明の実施の形態】
以下、本発明の実施の形態を、図示例と共に説明する。
【００１４】
図１から図５は本発明のジブクレーンのアウトリガ装置の実施の形態の一例を示すものである。
【００１５】
このジブクレーンのアウトリガ装置は、ベースフレーム１１と、該ベースフレーム１１を中心として放射状に延びる４本のアウトリガビーム１２と、該アウトリガビーム１２とベースフレーム１１との間の連結に使用される複数のリンク１３と、アウトリガビーム１２の先端に締結される高さ調整機構１４と、必要に応じて高さ調整機構１４とアウトリガビーム１２の先端との間に介在せしめ得るブラケット１５とを備えている。
【００１６】
ベースフレーム１１は、上下端部に環状のフランジを有する円筒形のフレーム本体１６と、ベースフレーム１１にアウトリガビーム１２を連結し得るようにフレーム本体１６の外周面に設けられた４組の取付用ブラケット１７とを有し、フレーム本体１６にクレーン旋回体１８を旋回自在に支持し得るようになっている。
【００１７】
各取付用ブラケット１７は、アウトリガビーム１２の中心線ａを挟んでアウトリガビーム１２の基端部幅に２枚ずつ配置されている。
【００１８】
隣接する２枚の取付用ブラケット１７の上部には、前記の中心線ａに直交する略水平方向へ延びる上部ピン１９が挿通されるピン孔２１が穿設され、また、隣接する２枚のブラケット１７の下部には、上部ピン１９に平行な、下部ピン２０が挿通されるピン孔２２が穿設されている。
【００１９】
アウトリガビーム１２は、基端側から先端に向かって断面が徐々に小さくなる先細り形状を有し、その基端上下部は、前記の隣接する２枚の取付用ブラケット１７の間に挿入し得るように形成されており、当該挿入部分には、前記の上部ピン１９及び下部ピン２０が挿通され得るピン孔３２，３３が穿設されている。
【００２０】
また、アウトリガビーム１２の先端部には、アウトリガビーム１２の中心線ａに直交するフランジ２３が設けられている。
【００２１】
リンク１３は、図４に示すように、フレーム本体１６に設けられた各取付用ブラケット１７とアウトリガビーム１２の基端部との間に介在し得るように、一端部に、上部ピン１９あるいは下部ピン２０を挿通され得るピン孔２４ａが穿設され、また、二股のフォーク状に形成された他端部に、リンク用ピン２５が挿通されるピン孔２４ｂが穿設されている。
【００２２】
上部ピン１９、下部ピン２０、リンク用ピン２５は、同一形状に形成され、リンク用ピン２５がアウトリガビーム１２のピン孔３２，３３にも挿通され得るようになっている。
【００２３】
高さ調整機構１４は、中空で一側に平板な側面を有し且つ該側面の下部近傍をアウトリガビーム１２の先端部に設けたフランジ２３にボルト締結し得られるケース２６と、該ケース２６に内装され且つケース２６の長手方向へ進退自在に螺合されたねじ軸２７と、該ねじ軸２７のケース２６の下端外部に突出する端部に設けられたペデスタル２８と、前記のねじ軸２７のケース２６の上端外部に突出する端部に嵌着されたハンドル２９とを有する。
【００２４】
ブラケット１５は、図５に示すように、側方から見て左右の締結面３０，３１が所定の角度をなして対峙する切頭Ｖ字形に形成されており、アウトリガビーム１２の基端部を上部ピン１９、下部ピン２０、リンク１３及びリンク用ピン２５によってベースフレーム１１に締結した際に、アウトリガビーム１２の先端のフランジ２３と高さ調整機構１４との間に介在させて両者を締結すると、ケース２６に対してペデスタル２８が略垂直に昇降し得えられるように、高さ調整機構１４を略垂直に立設することができる。
【００２５】
図１から図５に示すジブクレーンのアウトリガ装置を適用したジブクレーンを傾斜地８に設置する際、例えば、ベースフレーム１１と略同じ高さ位置に高さ調整機構１４を配置する場合は、図３に示すように、アウトリガビーム１２の基端上部を、上部ピン１９によりベースフレーム１１の上側部に締結し、アウトリガビーム１２の基端下部を、下部ピン２０によりベースフレーム１１の下側部に締結することによって、アウトリガビーム１２を通常の略水平状態に設定し、該アウトリガビーム１２の先端のフランジ２３に、直接、高さ調整機構１４のケース２６をボルト締結し、該高さ調整機構１４を略垂直に立設する。
【００２６】
また、ベースフレーム１１の高さ位置よりも高い位置に高さ調整機構１４を配置する場合には、図１のＡ側に示すように、アウトリガビーム１２の基端上部を、上部ピン１９によりベースフレーム１１の上側部に締結し、アウトリガビーム１２の基端下部を、リンク用ピン２５により基端下部に連結したリンク１３を介して、下部ピン２０によりベースフレーム１１の下側部に締結することによって、アウトリガビーム１２を、その先端部が上方を向いた状態に設定し、該アウトリガビーム１２の先端のフランジ２３に、両側締結面３０，３１を下向きにしたブラケット１５を介して高さ調整機構１４のケース２６をボルト締結し、該高さ調整機構１４を略垂直に立設する。
【００２７】
更に、ベースフレーム１１の高さ位置よりも低い位置に高さ調整機構１４を配置する場合には、図１に示すＢ側に示すように、アウトリガビーム１２の基端下部を、下部ピン２０によりベースフレーム１１の下側部に締結し、アウトリガビーム１２の基端上部を、リンク用ピン２５により基端上部に連結したリンク１３を介して、上部ピン１９によりベースフレーム１１の上側部に締結することによって、アウトリガビーム１２を、その先端部が下方を向いた状態に設定し、該アウトリガビーム１２の先端のフランジ２３に、両側締結面３０，３１を上向きにしたブラケット１５を介して高さ調整機構１４のケース２６をボルト締結し、該高さ調整機構１４を略垂直に立設する。
【００２８】
そして、各高さ調整機構１４のケース２６の上方のハンドル２９を介してねじ軸２７を回転させてペデスタル２８をケース２６に対して昇降させることによって、各アウトリガビーム１２の先端の高さを調整し、ジブクレーンの高さ及び姿勢を調整する。
【００２９】
このように、図１から図５に示すジブクレーンのアウトリガ装置においては、アウトリガビーム１２の基端上部を、上部ピン１９でベースフレーム１１の上側部に締結し、アウトリガビーム１２の基端下部を、リンク用ピン２５、リンク１３及び下部ピン２０でベースフレーム１１の下側部に締結して、アウトリガビーム１２を先端部が上方を向いた状態とし、また、アウトリガビーム１２の基端下部を、下部ピン２０でベースフレーム１１の下側部に締結し、アウトリガビーム１２の基端上部を、リンク用ピン２５、リンク１３及び上部ピン１９でベースフレーム１１の上側部に締結して、アウトリガビーム１２の先端部が下方を向いた状態とすることができ、また、ケース２６の上側のハンドル２９を介してねじ軸２７を回転させることにより、ペデスタル２８をケース２６に対して昇降させ、該ペデスタル２８の上下位置を容易に調整することができるので、傾斜地へのジブクレーンの設置が容易となり、傾斜地における揚重作業の効率の向上を図ることができる。
【００３０】
なお、本発明のジブクレーンのアウトリガ装置は上述した実施の形態のみに限定されるものではなく、高さ調整機構のねじ軸の下端部とペデスタルとの間に球面継手を介在させた構成とすること、その他、本発明の要旨を逸脱しない範囲内において種々変更を加え得ることは勿論である。
【００３１】
【発明の効果】
以上述べたように、本発明のジブクレーンのアウトリガ装置によれば、下記のような種々の優れた効果を奏し得る。
【００３２】
（１）本発明の請求項１あるいは請求項２に記載したジブクレーンのアウトリガ装置のいずれにおいても、アウトリガビームの基端上部を、上部ピンでベースフレームの上側部に締結し、アウトリガビームの基端下部を、リンク用ピン、リンク及び下部ピンでベースフレームの下側部に締結して、アウトリガビームを先端部が上方を向いた状態とし、また、アウトリガビームの基端下部を、下部ピンでベースフレームの下側部に締結し、アウトリガビームの基端上部を、リンク用ピン、リンク及び上部ピンでベースフレームの上側部に締結して、アウトリガビームの先端部が下方を向いた状態とし得るので、傾斜地へのジブクレーンの設置が容易となり、傾斜地における揚重作業の効率の向上を図ることができる。
【００３３】
（２）本発明の請求項２に記載したジブクレーンのアウトリガ装置においては、ケースの上側のハンドルを介してねじ軸を回転させることにより、ペデスタルをケースに対して昇降させ、該アウトリガビームの先端に対するペデスタルの上下位置を容易に調整することができる。
【図面の簡単な説明】
【図１】本発明のジブクレーンのアウトリガ装置の実施の形態の一例を示す側面図である。
【図２】図１に関連するアウトリガ装置の平面図である。
【図３】図１に関連するアウトリガビームとベースフレームとの締結形態の他の一例を示す側面図である。
【図４】図１に関連するベースフレームとアウトリガビームの基端部とをリンクを介して締結した場合の平面図である。
【図５】図１に関連するブラケットの側面図である。
【図６】従来のジブクレーンの一例を示す側面図である。
【符号の説明】
１          クレーン旋回体
１１          ベースフレーム
１２          アウトリガビーム
１３          リンク
１４          高さ調整機構
１５          ブラケット
１９          上部ピン
２０          下部ピン
２５          リンク用ピン
２６          ケース
２７          ねじ軸
２８          ペデスタル
２９          ハンドル
【図１】
0003979715.tif 000002
【図２】
0003979715.tif 000003
【図３】
0003979715.tif 000004
【図４】
0003979715.tif 000005
【図５】
0003979715.tif 000006
【図６】
0003979715.tif 000007